(57)【要約】【課題】簡単な操作で、電池を本体に堅固に固定することが可能な印刷装置、印刷装置の本体に装着して使用される電池、及び、印刷装置の本体を提供する。【解決手段】印刷装置は、本体に設けられた収容部、収容部に収容可能な電池４、本体に設けられた本体進入部、電池に設けられた電池進入部、本体に設けられた本体固定部、及び、電池４に設けられた電池固定部４１を備える。本体固定部は、収容部から突出しない状態から突出した状態に移動可能な本体突出部、及び、本体突出部を突出状態に向けて付勢する本体付勢部を備える。電池固定部４１は、電池４の表面から突出しない状態から突出した状態に移動可能な電池突出部４１１を備える。電池４が収容部に収容された状態で、本体突出部は電池進入部に進入し、電池突出部４１は、本体突出部が電池進入部に進入したことに応じて本体進入部に進入する。【選択図】図５
2015160423.tif 000002
【特許請求の範囲】
【請求項１】
印刷媒体を装着可能な本体と、
前記本体に設けられ、前記印刷媒体に印刷を行う印刷部と、
前記本体に設けられた凹状の収容部と、
前記収容部に収容可能であり、前記印刷部に電源を供給する電池と、
前記本体に設けられ、対向する２つの壁部を少なくとも備えた本体進入部と、
前記電池に設けられ、対向する２つの壁部を少なくとも備えた電池進入部と、
前記収容部内に前記電池を固定することが可能な部材であって、前記本体に設けられた本体固定部と、
前記収容部内に前記電池を固定することが可能な部材であって、前記電池に設けられた電池固定部と、
を備えた印刷装置であって、
前記本体固定部は、
前記収容部の内壁から突出しない状態から突出した状態に移動可能な本体突出部と、
前記本体突出部を、前記内壁から突出しない状態から突出した状態に向けて付勢する本体付勢部と、
を備え、
前記電池固定部は、
前記電池の表面から突出しない状態から突出した状態に移動可能な電池突出部を備え、
前記電池が前記収容部に収容された状態で、前記本体突出部は、前記内壁から突出したときに前記電池進入部に進入し、前記電池突出部は、前記本体突出部が前記電池進入部に進入したことに応じて、前記表面から突出して前記本体進入部に進入することを特徴とする印刷装置。
【請求項２】
前記電池固定部は、前記電池の内部に設けられた揺動可能な揺動部を更に備え、
前記電池突出部は、前記揺動部の揺動に応じて、前記表面から突出しない状態から突出した状態に移動可能であり、
前記電池が前記収容部に収容された状態で、前記揺動部は、前記本体突出部が前記電池進入部に進入したときに揺動し、前記電池突出部は、前記揺動部の揺動に応じて前記表面から突出し、前記本体進入部に進入することを特徴とする請求項１に記載の印刷装置。
【請求項３】
前記電池固定部は、前記表面から突出した状態から突出しない状態に向けて前記電池突出部を付勢する電池付勢部を更に備えたことを特徴とする請求項２に記載の印刷装置。
【請求項４】
前記本体進入部は、前記収容部の前記内壁に設けられ、前記電池突出部の断面形状と略同一の断面形状を有する穴であることを特徴とする請求項１から３の何れかに記載の印刷装置。
【請求項５】
印刷媒体を装着可能な本体に設けられた凹状の収容部に収容され、前記印刷媒体に印刷を行う印刷部に電源を供給する電池であって、
前記収容部の内壁から突出しない状態から突出した状態に移動可能であり且つ前記内壁から突出した状態に向けて付勢された本体突出部が前記内壁から突出したときに、前記本体突出部が進入する部位であって、対向する２つの壁部を少なくとも備えた電池進入部と、
前記電池進入部に前記本体突出部が進入したことに応じて、前記電池の表面から突出しない状態から突出した状態に移動し、前記本体に設けられた部位であって対向する２つの壁部を少なくとも備えた本体進入部に進入する電池突出部と、
を備えたことを特徴とする電池。
【請求項６】
印刷媒体に印刷を行う印刷部と、
凹状の収容部と、
前記収容部内に電池を固定することが可能な本体固定部と、
対向する２つの壁部を少なくとも備えた本体進入部と
を備え、
前記本体固定部は、
前記収容部の内壁から突出しない状態から突出した状態に移動可能な本体突出部と、
前記本体突出部を、前記内壁から突出しない状態から突出した状態に向けて付勢する本体付勢部と、
を備え、
前記電池が前記収容部に収容された状態で、前記本体突出部は、前記内壁から突出したときに、前記電池に設けられ且つ対向する２つの壁部を少なくとも備えた電池進入部に進入し、前記本体進入部には、前記本体突出部が前記電池進入部に進入したことに応じて前記電池の表面から突出する電池突出部が進入することを特徴とする、印刷装置の本体。
【発明の詳細な説明】
【技術分野】
【０００１】
本発明は、着脱可能な電池を備えた印刷装置、印刷装置の本体に装着して使用される電池、及び、印刷装置の本体に関する。
【背景技術】
【０００２】
２次電池を電源として駆動する印刷装置が知られている。２次電池は、専用の充電器によって充電できるように、印刷装置の本体に対して着脱可能に設けられる場合がある。この場合、本体に衝撃が加えられた場合でも電源が本体に安定的に供給されるように、２次電池は本体に対して堅固に固定されることが好ましい。特許文献１は、ユーザによるハンドルの回転操作に応じて、測量機に電池が２か所で固定される技術を開示する。
【先行技術文献】
【特許文献】
【０００３】
【特許文献１】特開平７−３０６０４３号公報
【発明の概要】
【発明が解決しようとする課題】
【０００４】
特許文献１に記載された技術を印刷装置に適用した場合、ユーザは、電池を固定するためにハンドルを操作する必要がある。固定される前の電池の位置が不安定である場合、ユーザは、一方の手で電池を支えつつ他方の手でハンドルを操作することによって、電池を印刷装置に固定しなければならない。従って、例えばユーザが一方の手で別の作業を行っている場合、電池を固定する操作を容易に行うことができない場合がある。
【０００５】
本発明の目的は、簡単な操作で、電池を本体に堅固に固定することが可能な印刷装置、印刷装置の本体に装着して使用される電池、及び、印刷装置の本体を提供することである。
【課題を解決するための手段】
【０００６】
本発明の第１態様に係る印刷装置は、印刷媒体を装着可能な本体と、前記本体に設けられ、前記印刷媒体に印刷を行う印刷部と、前記本体に設けられた凹状の収容部と、前記収容部に収容可能であり、前記印刷部に電源を供給する電池と、前記本体に設けられ、対向する２つの壁部を少なくとも備えた本体進入部と、前記電池に設けられ、対向する２つの壁部を少なくとも備えた電池進入部と、前記収容部内に前記電池を固定することが可能な部材であって、前記本体に設けられた本体固定部と、前記収容部内に前記電池を固定することが可能な部材であって、前記電池に設けられた電池固定部と、を備えた印刷装置であって、前記本体固定部は、前記収容部の内壁から突出しない状態から突出した状態に移動可能な本体突出部と、前記本体突出部を、前記内壁から突出しない状態から突出した状態に向けて付勢する本体付勢部と、を備え、前記電池固定部は、前記電池の表面から突出しない状態から突出した状態に移動可能な電池突出部を備え、前記電池が前記収容部に収容された状態で、前記本体突出部は、前記内壁から突出したときに前記電池進入部に進入し、前記電池突出部は、前記本体突出部が前記電池進入部に進入したことに応じて、前記表面から突出して前記本体進入部に進入することを特徴とする。
【０００７】
第１態様によれば、電池が収容部に収容された状態で、本体突出部は電池進入部に進入し、電池突出部は本体進入部に進入する。電池は、本体に対して２か所で固定される。従ってユーザは、電池を本体に堅固に固定させることができる。又、本体突出部は、本体付勢部によって突出方向に付勢されているので、電池を本体に固定するとき、ユーザの操作によって本体突出部を突出方向に移動させる必要がない。従ってユーザは、電池を本体に容易に固定させることができる。
【０００８】
本発明の第２態様に係る電池は、印刷媒体を装着可能な本体に設けられた凹状の収容部に収容され、前記印刷媒体に印刷を行う印刷部に電源を供給する電池であって、前記収容部の内壁から突出しない状態から突出した状態に移動可能であり且つ前記内壁から突出した状態に向けて付勢された本体突出部が前記内壁から突出したときに、前記本体突出部が進入する部位であって、対向する２つの壁部を少なくとも備えた電池進入部と、前記電池進入部に前記本体突出部が進入したことに応じて、前記電池の表面から突出しない状態から突出した状態に移動し、前記本体部に設けられた部位であって対向する２つの壁部を少なくとも備えた本体進入部に進入する電池突出部と、を備えている。
【０００９】
第２態様によれば、電池が収容部に収容された状態で、本体突出部は電池進入部に進入し、電池突出部は本体進入部に進入する。電池は、本体に対して２か所で固定される。従ってユーザは、電池を本体に堅固に固定させることができる。又、本体突出部は突出方向に付勢されているので、電池を本体に固定するとき、ユーザの操作によって本体突出部を突出方向に移動させる必要がない。従ってユーザは、電池を本体に容易に固定させることができる。
【００１０】
本発明の第３態様に係る印刷装置の本体は、印刷媒体に印刷を行う印刷部と、凹状の収容部と、前記収容部内に前記電池を固定することが可能な本体固定部と、対向する２つの壁部を少なくとも備えた本体進入部とを備え、前記本体固定部は、前記収容部の内壁から突出しない状態から突出した状態に移動可能な本体突出部と、前記本体突出部を、前記内壁から突出しない状態から突出した状態に向けて付勢する本体付勢部と、を備え、前記電池が前記収容部に収容された状態で、前記本体突出部は、前記内壁から突出したときに、前記電池に設けられ且つ対向する２つの壁部を少なくとも備えた電池進入部に進入し、前記本体進入部には、前記本体突出部が前記電池進入部に進入したことに応じて前記電池の表面から突出する電池突出部が進入することを特徴とする。
【００１１】
第３態様によれば、電池が収容部に収容された状態で、本体突出部は電池進入部に進入し、電池突出部は本体進入部に進入する。電池は、本体に対して２か所で固定される。従ってユーザは、電池を本体に堅固に固定させることができる。又、本体突出部は、本体付勢部によって突出方向に付勢されているので、電池を本体に固定するとき、ユーザの操作によって本体突出部を突出方向に移動させる必要がない。従ってユーザは、電池を本体に容易に固定させることができる。
【図面の簡単な説明】
【００１２】
【図１】印刷装置１（蓋部３を閉じた状態）の斜視図である。
【図２】印刷装置１（蓋部３を開いた状態）の斜視図である。
【図３】電池４を右側から見た斜視図である。
【図４】電池４を後側から見た斜視図である。
【図５】電池４の本体部４４を右側から見た斜視図である。
【図６】電池４の蓋部４５を左側から見た斜視図である。
【図７】収容部２５に収容された状態の電池４の内部を示す右側面図である。
【図８】収容部２５に収容された状態の電池４の内部を示す右側面図である。
【発明を実施するための形態】
【００１３】
以下、本発明の実施形態について、図面を参照して説明する。印刷装置１は、ＵＳＢ（登録商標）ケーブルを介して外部端末（図示外）に接続可能である。印刷装置１は、外部端末から受信した印刷データに基づいて、印刷媒体に文字や図形等を印刷できる。印刷媒体は感熱ラベルである。外部端末は汎用のパーソナルコンピュータ（ＰＣ）である。図１の右下側、左上側、右上側、左下側、上側、及び下側を、夫々、印刷装置１の右側、左側、後側、前側、上側、及び下側と定義する。
【００１４】
＜印刷装置１の概要＞
図１、図２を参照し、印刷装置１の概要について説明する。印刷装置１は本体部２を備える。本体部２は、制御部（図示略）、印刷部２６Ｂ、駆動部（図示略）等を内部に備える。制御部は、印刷装置１全体を制御するＣＰＵを有する。印刷部２６Ｂは、感熱ラベルに印刷を行うことが可能なラインサーマルヘッドである。駆動部は、感熱ラベルを搬送するためのモータである。本体部２は、前方上側の傾斜部２Ａに表示部２１及びスイッチ２２を備える。本体部２は、傾斜部２Ａのうち表示部２１の後側に剥離機構５を備える。本体部２は、剥離機構５の後側に収容部２４を備える。本体部２は、右側に電源供給部１２、ＵＳＢ（登録商標）インタフェース（Ｉ／Ｆ）１３、レバー２３、収容部２５、本体固定部２８等を備える。
【００１５】
収容部２４は、感熱ラベルが貼付された台紙が巻回されたロール（図示略）を収容可能な空間を形成する。以下、台紙及び感熱ラベルを、テープという。収容部２４の左右両側及び上側は開口する。収容部２４内に用紙ホルダ９が固定されている。用紙ホルダ９は、ロールを保持するための部材である。収容部２４のうち前側の壁部の上端に切断部２６Ａが設けられ、切断部２６Ａの下側に印刷部２６Ｂが設けられている。切断部２６Ａは、テープのうち印刷された部分を切り離すことが可能な刃である。切断部２６Ａ及び印刷部２６Ｂは、左右方向に延びる。収容部２４の前側の壁部のうち左右両端部の夫々から後方に向けて、一対の係合部２４１の夫々が突出する。一対の係合部２４１の夫々は、上方に延びる第１延設部、及び、第１延設部の上端から前方に延びる第２延設部を備える。一対の係合部２４１の夫々は、下端を支軸として揺動可能である。一対の係合部２４１の夫々は、レバー２３が下方に押し下げられた場合、夫々の第１延設部の上端が後方に移動する向きに揺動する。
【００１６】
蓋部３は、収容部２４の後端に設けられた支軸２９に揺動可能に支持されている。蓋部３は、上側、右側、及び左側から収容部２４を覆う位置に揺動可能である。支軸２９に付勢部２９Ａが巻回されている。付勢部２９Ａはばねである。付勢部２９Ａは、蓋部３が収容部２４を覆った状態から、覆わない状態に向けて付勢する。以下、蓋部３が収容部２４を覆った状態を、蓋部３が閉じた状態といい、蓋部３が収容部２４を覆わない状態を、蓋部３が開いた状態という。
【００１７】
蓋部３は、支軸２９によって支持されている側と反対側の端部に、第１ローラ３２を回転可能に支持する。第１ローラ３２の回転軸は左右方向に延びている。第１ローラ３２の回転軸の左右端部から外側に向けて、一対の被係合部３２１が延びている。一対の被係合部３２１の夫々は円柱状である。左側の被係合部３２１の左側に、ギア３６が設けられている。一対の被係合部３２１の夫々は、蓋部３が閉じた状態で、一対の係合部２４１の夫々の第２延設部に係合する。この場合、蓋部３の閉じた状態から開いた状態に向かう揺動は、係合部２４１によって抑制され、蓋部３の閉じた状態が維持される。
【００１８】
蓋部３が閉じた状態で、印刷部２６Ｂと第１ローラ３２とは近接する。蓋部３が閉じた状態で、剥離機構５と第１ローラ３２との間に、テープが排出される排出口２６Ｃが形成される。蓋部３が閉じた状態で、ギア３６は、本体部２に設けられた本体ギア（図示略）に噛み合う。本体ギアは、本体部２の駆動部に連結し、回転可能である。蓋部３が閉じた状態で本体ギアが回転した場合、ギア３６及び第１ローラ３２は、本体ギアの回転に応じて回転する。
【００１９】
蓋部３が閉じた状態でレバー２３が下方に押し下げられた場合、係合部２４１の第２延設部から被係合部３２１が外れる。蓋部３は、付勢部２９Ａの付勢力によって、閉じた状態から開いた状態に向けて揺動する。
【００２０】
電源供給部１２は、ＡＣアダプタのプラグを差し込むための端子である。ＵＳＢ（登録商標）  Ｉ／Ｆ１３は、ＵＳＢケーブルのコネクタを差し込むための複数の端子である。印刷装置１は、ＵＳＢ  Ｉ／Ｆ１３を介して外部端末と通信を行うことが可能である。なお、図１及び図２では、電源供給部１２及びＵＳＢ  Ｉ／Ｆ１３はゴム製の蓋で覆われている。収容部２５は、電池４（図３等参照）を収容可能な空間を形成する。印刷装置１は、電源供給部１２から供給される電源、又は、収容部２５に収容された電池４から供給される電源によって駆動可能である。又、印刷装置１は、電源供給部１２から供給される電源によって、収容部２５に収容された電池４を充電することもできる。本体固定部２８は、収容部２５に収容された電池４を保持し、本体部２から電池４が外れないようにする。なお、印刷装置１の右側面には、レバー２３、電源供給部１２、ＵＳＢ  Ｉ／Ｆ１３、及び収容部２５がまとめて配置されているので、ユーザは、レバー２３、電源供給部１２、ＵＳＢ  Ｉ／Ｆ１３、及び収容部２５を介して行う印刷装置１の操作を容易に行うことができる。
【００２１】
感熱ラベルへの印刷が行われる場合の概要を説明する。用紙ホルダ９にロールが保持され、蓋部３が閉じられる。印刷部２６Ｂと第１ローラ３２との間に、ロールから延びるテープが下方から上方に向けて挿通される。第１ローラ３２は所定の力で印刷部２６Ｂにテープを押し付ける。駆動部の動作に伴い第１ローラ３２が回転することによって、ロールからテープが順次繰り出され、下方から上方に向けて搬送される。同時に、印刷部２６Ｂの発熱素子が発熱する。これによって、感熱ラベルに文字や図形が印刷される。印刷後、テープは、台紙に感熱ラベルが貼付された状態で、排出口２６Ｃから外部に排出される。排出されたテープは、切断部２６Ａによって切断される。なお、印刷装置１は、剥離機構５を用いることによって、印刷された感熱ラベルを台紙から剥離しながら、排出口２６Ｃから外部に排出させることもできる。
【００２２】
＜収容部２５、本体固定部２８＞
収容部２５について説明する。収容部２５は、本体部２の右側面から左方向に延びる穴を形成する。収容部２５のうち本体部２の右側面に連通する開口部２５Ａの形状は、前後方向に長い長方形である。開口部２５Ａは、本体部２の右側面のうち、電源供給部１２の前方、且つ、ＵＳＢ  Ｉ／Ｆ１３の下方に設けられている。収容部２５の後側の内壁面２５２の開口部２５Ａの近傍に、本体進入部２７が設けられる。本体進入部２７は、内壁面２５２から後方に延びる穴を形成する。本体進入部２７の前側及び後側の内壁面、及び、上側及び下側の内壁面の夫々は対向する。本体進入部２７のうち本体部２の右側面に連通する開口部の形状は、上下方向に長い長方形である。収容部２５の左側の内壁面に、本体電極（図示略）及び本体端子が設けられている。本体電極は、収容部２５に電池４（後述）が収容された場合に、電池４の電池電極４８Ａ（図４参照）に接触可能である。本体端子は、収容部２５に電池４が収容された場合に、電池４の電池端子４８Ｂに接触可能である。
【００２３】
本体部２の右側面のうち開口部２５Ａの上側に、本体固定部２８が設けられる。本体固定部２８は、本体突出部２８１、操作部２８２、及び、本体付勢部２８３（図７、図８参照）を有する。本体突出部２８１は棒状である。本体突出部２８１は、前方斜め上側から後方斜め下側に向けて延びる。本体突出部２８１の前方斜め上側の端部は、本体部２の右側面のうち開口部２５Ａの上側に揺動可能に支持されている。本体突出部２８１の後方斜め下側の端部は、本体突出部２８１の揺動に応じて上下方向に移動可能である。本体固定部２８の揺動に応じて本体突出部２８１が下方に移動した場合、本体突出部２８１の後方斜め下側の端部は、収容部２５の上側の内壁面２５１から下方に突出する。一方、本体固定部２８の揺動に応じて本体突出部２８１が上方に移動した場合、本体突出部２８１は後方略水平方向に延びた状態となり、後方斜め下側の端部は、収容部２５の上側の内壁面２５１から下方に突出しない。
【００２４】
操作部２８２は、本体突出部２８１の前方斜め上側の端部から後方に延びる、操作部２８２は板状であり、平面は上下方向を向く。本体突出部２８１の延びる方向と、操作部２８２の延びる方向との間の角度は約４５度である。本体固定部２８の揺動に応じて本体突出部２８１が内壁面２５１から下方に突出しない状態となった場合、操作部２８２は後方水平方向に延びた状態になる（図７参照）。
【００２５】
本体付勢部２８３は、本体突出部２８１の前方斜め上側に設けられたばねである。本体付勢部２８３の一端は本体突出部２８１に接続し、他端は本体部２に接続する。本体付勢部２８３は、本体突出部２８１が内壁面２５１から下方に突出しない状態から、下方に突出した状態に向かう方向の付勢力を、本体突出部２８１に作用させる。従って、本体固定部２８に外力が加わっていない状態で、本体固定部２８は、本体突出部２８１が内壁面２５１から下方に突出した状態で保持される。
【００２６】
＜電池４、電池固定部４１＞
図３から図６を参照し、電池４について説明する。電池４は、本体部４４及び蓋部４５を備える。本体部４４の形状は直方体であり、印刷装置１の収容部２５（図１参照）の穴の形状と略同一である。蓋部４５は板状であり、本体部４４の６面のうち何れか１面に設けられる。電池４は、蓋部４５で覆われた面が右側に配置され、蓋部４５で覆われた面と対向する面が左側に配置された状態で、収容部２５に収容される。以下、印刷装置１の収容部２５に電池４が収容された状態を例に挙げ、印刷装置１に対する方向（上側、下側、前側、下側、左側、右側）を電池４にも適用する。
【００２７】
図４に示すように、本体部４４の左面に電池電極４８Ａ及び電池端子４８Ｂが設けられる。電池電極４８Ａは、電池４の電源を出力する端子である。電池端子４８Ｂは、電池４の種別や状態（過電流の検出結果等）を示す信号を出力する端子である。電池電極４８Ａは、印刷装置１の収容部２５に電池４が収容された状態で、収容部２５内の本体電極に接触する。電池４の電源は、電池電極４８Ａ及び本体電極を介して印刷装置１に供給される。電池端子４８Ｂは、印刷装置１の収容部２５に電池４が収容された状態で、収容部２５内の本体端子に接触する。電池４の状態を示す信号は、電池端子４８Ｂ及び本体端子を介して印刷装置１側に出力される。
【００２８】
図５に示すように、本体部４４には、本体部４４の右側面から突出する一対の第１保持部４４Ａ、及び、一対の第２保持部４４Ｂが設けられる。一対の第１保持部４４Ａは、本体部４４の右側面の後側に、上下方向に並んで配置されている。一対の第１保持部４４Ａは上下方向に離隔する。上側の第１保持部４４Ａの上面、及び、下側の第１保持部４４Ａの下面に、前後方向に延びる溝が設けられている。一対の第２保持部４４Ｂは、本体部４４の右側面の前側に、上下方向に並んで配置されている。一対の第２保持部４４Ｂは上下方向に離隔する。上側の第２保持部４４Ｂの上面、及び、下側の第２保持部４４Ｂの下面に、前後方向に延びる溝が設けられている。
【００２９】
図６に示すように、蓋部４５には、蓋部４５の左側面から突出する一対の第１保持部４５Ａ、一対の第２保持部４５Ｂ、第３保持部４５Ｃ、第４保持部４５Ｄ、及び、２つの第５保持部４５Ｅが設けられている。一対の第１保持部４５Ａは、蓋部４５の左側面の後側に、上下方向に並んで配置されている。一対の第１保持部４５Ａは上下方向に離隔する。一対の第２保持部４５Ｂは、蓋部４５の左側面の前側に、上下方向に並んで配置されている。一対の第２保持部４５Ｂは上下方向に離隔する。第３保持部４５Ｃは、蓋部４５の上下左右の夫々の方向の略中央に配置されている。第４保持部４５Ｄは、上側の第２保持部４５Ｂの前側に配置されている。２つの第５保持部４５Ｅは、一対の第２保持部４５Ｂの夫々の間の部分に前後方向に並んで配置されている。
【００３０】
蓋部４５の一対の第１保持部４５Ａは、本体部４４の一対の第１保持部４４Ａの溝に嵌る。又、蓋部４５の一対の第２保持部４５Ｂは、本体部４４の一対の第２保持部４４Ｂの溝に嵌る。これによって、図３及び図４に示すように、蓋部４５は本体部４４の右側に保持される。本体部４４と蓋部４５とは、本体部４４及び蓋部４５の夫々の保持部の左右方向の長さ分、左右方向に離隔する。本体部４４の右側面と、蓋部４５の左側面とは対向する。このため、本体部４４と蓋部４５との間に隙間が形成される。以下、本体部４４と蓋部４５との間に形成される隙間を、電池進入部４２という。なお、電池進入部４２の幅は、本体固定部２８の本体突出部２８１の左右方向の長さと略同一である。
【００３１】
図５及び図６に示すように、電池４は、本体部４４との蓋部４５との間に形成された電池進入部４２内に、電池固定部４１を備える。電池固定部４１は、電池突出部４１１、揺動部４１２、及び、電池付勢部４１３を有する。
【００３２】
電池突出部４１１は、棒状の第１部材４１１Ａ、第２部材４１１Ｂ、及び、第３部材４１１Ｃを備える。第１部材４１１Ａは前後方向に水平に延びる。第１部材４１１Ａの断面形状は、本体進入部２７の断面形状と略同一である。第２部材４１１Ｂは、第１部材４１１Ａの前端から上方に向けて垂直に延びる。第３部材４１１Ｃは、第２部材４１１Ｂの上端から後方に向けて水平に延びる。第３部材４１１Ｃの前後方向の長さは、第１部材４１１Ａの前後方向の長さよりも短い。第１部材４１１Ａは、２つの長穴を有する。２つの長穴の夫々は、左右方向に貫通する。２つの長穴の夫々の長手方向は前後方向を向く。２つの長穴の夫々に、蓋部４５から突出する２つの第５保持部４５Ｅの夫々が挿通する。電池突出部４１１は、２つの第５保持部４５Ｅの夫々が２つの長穴の夫々の中を前後方向に相対移動することによって、前後方向に移動可能である。
【００３３】
電池付勢部４１３は、電池突出部４１１の第３部材４１１Ｃの後側、且つ、蓋部４５の第４保持部４５Ｄの前側に配置される。電池付勢部４１３は圧縮ばねである。電池付勢部４１３の一端は第３部材４１１Ｃの後端に接触し、他端は第４保持部４５Ｄの前端に接触する。電池付勢部４１３は、電池突出部４１１に対して、後側から前側に向かう方向の付勢力を作用させる。電池突出部４１１に外力が加わっていない状態で、電池突出部４１１の第１部材４１１Ａの後端は、本体部４４の後側の周壁、及び、蓋部４５の後側の端部よりも後側に突出しない（図３参照）。
【００３４】
揺動部４１２は、第１部材４１２Ａ、第２部材４１２Ｂ、及び、第３部材４１２Ｃを備える。第１部材４１２Ａは板状の部材である。第１部材４１２Ａを右側から見た場合の形状は、略三角形である。以下、第１部材４１２Ａの３つの頂点を、第１頂点、第２頂点、及び、第３頂点という。第２部材４１２Ｂは、第１部材４１２Ａの第１頂点から外側に突出する。第３部材４１２Ｃは、第１部材４１２Ａの第２頂点から外側に突出する。揺動部４１２は、第１部材４１２Ａの中心に穴を有する。穴は、第１部材４１２Ａを左右方向に貫通する。蓋部４５から突出する第３保持部４５Ｃは、第１部材４１２Ａの穴に挿通する。揺動部４１２は、第３保持部４５Ｃを支点として、第１部材４１２Ａの第３頂点４１２Ｄが上下に移動する向きに揺動可能である。電池突出部４１１が電池付勢部４１３の付勢力によって前方に移動した状態で、揺動部４１２の第１部材４１２Ａの第１頂点と第３頂点４１２Ｄとの間の斜辺部分に、電池突出部４１１の第１部材４１１Ａと第２部材４１１Ｂとが交わる部分が接触する。揺動部４１２は、電池突出部４１１によって第３頂点４１２Ｄが下方に押されることによって、第３頂点４１２Ｄが下方に移動する向きに揺動する。
【００３５】
＜電池４を着脱する場合の手順＞
図７及び図８を参照し、本体部２の収容部２５に電池４を装着する場合の手順について説明する。ユーザは、本体固定部２８の操作部２８２を持ち、上方に持ち上げる。本体固定部２８は、本体付勢部２８３の付勢力に逆らって、本体突出部２８１が上方に移動する向きに揺動する。これによって、図７に示すように、収容部２５の上側の内壁面２５１から本体突出部２８１が下方に突出しなくなる。収容部２５への電池４の収容が可能となる。ユーザは、電池４の左側の一部を収容部２５に収容させる。
【００３６】
なおユーザは、電池４の左側の一部が収容部２５に収容された場合、操作部２８２を離してもよい。ユーザが操作部２８２を離した場合、本体固定部２８は、本体付勢部２８３の付勢力によって、本体突出部２８１が下方に移動する向きに揺動する。しかしながら、一部が収容された電池４の本体部４４の上側面に、本体突出部２８１の下端が接触することによって、本体固定部２８の揺動は抑制される。ユーザが電池４を収容部２５内に更に押し込んだ場合でも、本体突出部２８１は電池４の本体部４４の上側面を滑って移動するので、本体突出部２８１は電池４の収容の邪魔にならない。
【００３７】
又、ユーザは、電池４の左側の一部を収容部２５に収容させる場合、操作部２８２を持って上方に持ち上げなくてもよい。例えばユーザは、電池４の本体部４４の上側面に本体突出部２８１を押しあて、電池４を上方に持ち上げることによって、本体固定部２８を揺動させてもよい。ユーザは、本体突出部２８１が収容部２５の上側の内壁面２５１から下方に突出しない状態となるまで、電池４を上方に持ち上げて本体固定部２８を揺動させた後、電池４の左側の一部を収容部２５に収容させてもよい。
【００３８】
ユーザは、電池４の本体部４４が全て収容部２５に収容される状態となるまで、収容部２５内で電池４を左側に移動させる。本体部４４が全て収容部２５に収容された場合、電池４の電池進入部４２の上方に、本体固定部２８が配置された状態になる。本体固定部２８は、本体付勢部２８３の付勢力によって、本体突出部２８１が下方に移動する向きに揺動する。本体突出部２８１は、電池進入部４２に上側から進入する。なお、電池進入部４２の幅は、本体固定部２８の本体突出部２８１の左右方向の長さと略同一である。従って、本体突出部２８１が電池進入部４２に進入した状態で、電池４の左右方向の移動は規制される。
【００３９】
図８に示すように、電池進入部４２に進入した本体突出部２８１の下端は、揺動部４１２の第２部材４１２Ｂに上方から接触する。本体突出部２８１は、揺動部４１２の第３頂点４１２Ｄが上方に移動する向きに揺動する。揺動部４１２は、第１部材４１２Ａの第１頂点と第３頂点４１２Ｄとの間の斜辺部分で、電池突出部４１１の第１部材４１１Ａと第２部材４１１Ｂとが交わる部分を後方に押し出す。電池突出部４１１は、電池付勢部４１３の付勢力に逆らった後方に移動する。第１部材４１１Ａは、電池４の本体部４４の後側の周壁、及び、蓋部４５の後側の端部よりも後方に突出する。第１部材４１１Ａは、本体進入部２７に前方から進入する。なお、第１部材４１１Ａの断面形状は、本体進入部２７の断面形状と略同一である。従って、第１部材４１１Ａが本体進入部２７に進入した状態で、電池４の左右方向の移動は規制される。
【００４０】
図７及び図８を参照し、本体部２の収容部２５から電池４を取り外す場合の手順について説明する。ユーザは、収容部に２５に電池４が収容された状態（図８参照）で、本体固定部２８の操作部２８２を持ち、上方に持ち上げる。本体固定部２８は、本体付勢部２８３の付勢力に逆らって、本体突出部２８１が上方に移動する向きに揺動する。これによって、図７に示すように、収容部２５の上側の内壁面２５１から本体突出部２８１が下方に突出しなくなる。同時に、電池固定部４１の電池突出部４１１は、電池付勢部４１３の付勢力によって前方に移動する。第１部材４１１Ａは、電池４の本体部４４の後側の周壁、及び、蓋部４５の後側の端部から後方に突出しなくなる。これによって、電池４は右方向に移動可能となる。ユーザは、蓋部４５を持って右方に移動させることによって、収容部２５から電池４を取り外す。
【００４１】
以上説明したように、印刷装置１では、電池４の本体部４４が収容部２５に全て収容された場合、本体固定部２８の本体突出部２８１は電池進入部４２に進入し、電池固定部４１の電池突出部４１１の第１部材４１１Ａは本体進入部２７に進入する。電池４は、印刷装置１の本体部２に対して２か所で固定される。従ってユーザは、電池４を本体部２に堅固に固定させることができる。又、本体突出部２８１は、本体付勢部２８３によって突出方向に付勢されている。従って、ユーザが電池４を本体部２に固定するとき、本体突出部２８１を手動で突出方向に移動させる必要がない。従ってユーザは、電池４を本体部２に容易に固定させることができる。
【００４２】
電池固定部４１は揺動部４１２を有する。揺動部４１２は、電池進入部４２に進入した本体突出部２８１が接触することに応じて、第１部材４１２Ａの第３頂点４１２Ｄを上方に揺動させる。電池突出部４１１は、揺動部４１２が上記のように揺動したことに応じ、第１部材４１１Ａを電池４の後方に突出させる。このように、電池固定部４１は、本体突出部２８１が電池進入部４２に進入したことに応じて、電池突出部４１１の第１部材４１１Ａを突出方向に容易に移動させることができる。
【００４３】
電池固定部４１は電池付勢部４１３を有する。電池付勢部４１３は、電池突出部４１１を前方に付勢する。従って、本体突出部２８１が電池進入部４２に進入しない状態では、電池突出部４１１は電池４から突出せず、本体進入部２７に進入しない。従ってユーザは、本体突出部２８１が電池進入部４２に進入した状態から進入しない状態に切り替えることによって、電池４を本体部２から容易に取り外すことができる。
【００４４】
本体進入部２７の断面形状は、電池突出部４１１の第１部材４１１Ａの断面形状と略同一であるので、本体進入部２７の左右方向の長さと、第１部材４１１Ａの左右方向の長さとも略同一になる。また電池進入部４２の左右方向の幅と、本体突出部２８１の左右方向の長さとは略同一である。この場合、電池突出部４１１の第１部材４１１Ａが本体進入部２７に進入し、本体突出部２８１が電池進入部４２に進入した状態で、電池４の左右方向への移動は適切に規制される。従って、電池４を本体部２に更に堅固に固定できるので、電池４の電源によって印刷装置１を適切に駆動させることができる。
【００４５】
なお、本発明は上記実施形態に限定されず、種々の変更が可能である。電池４は、本体突出部２８１が電池進入部４２に進入したことに応じて電池突出部４１１の第１部材４１１Ａを電池４から突出させるための機構を、揺動部４１２以外の機構によって実現してもよい。例えば電池４は、電池進入部４２に進入した本体突出部２８１に電池突出部４１１を直接接触させ、本体突出部２８１が第１部材４１１Ａを直接押し出すことによって、第１部材４１１Ａを電池４から突出させてもよい。
【００４６】
電池４は、電池付勢部４１３を備えない構成であってもよい。例えばユーザは、電池突出部４１１が突出した状態から突出しない状態に手動で切り替えてもよい。
【００４７】
本体進入部２７の断面形状と、電池突出部４１１の第１部材４１１Ａの断面形状とは略同一でなくてもよい。電池突出部４１１の第１部材４１１Ａの断面形状は、本体進入部２７の断面形状よりも小さくてもよい。
【００４８】
上記実施形態では、電池４は、本体部４４と蓋部４５との間の隙間によって電池進入部４２を形成させた。電池４は、本体突出部２８１を進入させるための穴を電池進入部として有していてもよい。上記実施形態では、本体進入部２７は、収容部２５の内壁面２５２に穴を形成した。本体進入部２７は左右方向に対向する２つの壁部によって構成されてもよい。
【００４９】
電池突出部４１１は、電池４から突出する２つ以上の部材を備えていてもよい。２つ以上の部材の夫々は、電池４の６つの周壁面のうち異なる周壁面の夫々から突出可能としてもよい。２つ以上の夫々の部材は、本体部２の収容部２５の内壁面に設けられた２つ以上の穴に進入可能としてもよい。
【符号の説明】
【００５０】
１        印刷装置
２        本体部
４        電池
２５      収容部
２５Ａ    開口部
２７      本体進入部
２８      本体固定部
４１      電池固定部
４２      電池進入部
２８１    本体突出部
２８３    本体付勢部
４１１    電池突出部
４１２    揺動部
４１３    電池付勢部
【図１】
2015160423.tif 000003
【図２】
2015160423.tif 000004
【図３】
2015160423.tif 000005
【図４】
2015160423.tif 000006
【図５】
2015160423.tif 000007
【図６】
2015160423.tif 000008
【図７】
2015160423.tif 000009
【図８】
2015160423.tif 000010